(57)【特許請求の範囲】
【請求項１】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、前記判別手段は、放電灯の安定点灯時の入力電力を検出して、放電灯の安定点灯時に、装着している放電灯の定格電力種を判別し、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項２】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、前記判別手段は、放電灯の安定点灯時の入力電流を検出して、放電灯の安定点灯時に、装着している放電灯の定格電力種を判別し、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項３】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、前記判別手段は、放電灯の安定点灯時のランプ電力を検出して、放電灯の安定点灯時に、装着している放電灯の定格電力種を判別し、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項４】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、前記判別手段は、放電灯の安定点灯時のランプ電流を検出して、放電灯の安定点灯時に、装着している放電灯の定格電力種を判別し、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項５】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、前記判別手段は、放電灯の安定点灯時のランプ温度を検出して、放電灯の安定点灯時に、装着している放電灯の定格電力種を判別し、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項６】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、前記判別手段は、放電灯の安定点灯時のランプ発光量を検出して、放電灯の安定点灯時に、装着している放電灯の定格電力種を判別し、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項７】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、前記判別手段は、放電灯の安定点灯時の放電灯からの赤外線量を検出して、放電灯の安定点灯時に、装着している放電灯の定格電力種を判別し、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項８】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、前記判別手段は、放電灯の安定点灯時のランプ等価抵抗値を検出して、放電灯の安定点灯時に、装着している放電灯の定格電力種を判別し、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項９】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、放電灯始動時から所定期間は、第１の検出手段の出力が定格ランプ電圧に略等しい略一定の電圧となるように、前記制御手段が点灯回路部または限流要素の少なくとも一方を制御し、前記判別手段は、前記所定期間における放電灯始動時から第１の検出手段の出力が定格ランプ電圧に略等しい電圧となるまでに要する時間の差を検出して、放電灯の安定点灯時に、装着している放電灯の定格電力種を判別し、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項１０】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、前記判別手段は、放電灯始動時のランプ電圧変化量を検出して、放電灯の始動時に、装着している放電灯の定格電力種を判別し、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項１１】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、前記判別手段は、放電灯始動時のランプ電流変化量を検出して、放電灯の始動時に、装着している放電灯の定格電力種を判別し、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項１２】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、前記判別手段は、放電灯始動時のランプ電力変化量を検出して、放電灯の始動時に、装着している放電灯の定格電力種を判別し、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項１３】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、前記判別手段は、放電灯始動時の入力電力変化量を検出して、放電灯の始動時に、装着している放電灯の定格電力種を判別し、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項１４】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、前記判別手段は、放電灯始動時の入力電流変化量を検出して、放電灯の始動時に、装着している放電灯の定格電力種を判別し、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項１５】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、前記判別手段は、放電灯始動時に放電灯が発する紫外線の変化量を検出して、放電灯の始動時に、装着している放電灯の定格電力種を判別し、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項１６】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、前記判別手段は、放電灯始動時に放電灯の発光量の変化を検出して、放電灯の始動時に、装着している放電灯の定格電力種を判別し、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項１７】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、放電灯始動時から所定期間は、第１の検出手段の出力が定格ランプ電圧に略等しい略一定の電圧となるように、前記制御手段が点灯回路部または限流要素の少なくとも一方を制御し、該所定期間において前記判別手段により放電灯の定格ランプ電力を判別し、前記所定期間の経過後は、第２の検出手段の出力が判別手段により判別された放電灯の定格ランプ電力と略等しくなるように、前記制御手段が点灯回路部または限流要素の少なくとも一方を制御することを特徴とする放電灯点灯装置。
【請求項１８】
請求項１７において、前記判別手段は、放電灯の安定点灯時に、装着している放電灯の定格電力種を判別することを特徴とする放電灯点灯装置。
【請求項１９】
請求項１７において、前記判別手段は、放電灯の始動時に、装着している放電灯の定格電力種を判別することを特徴とする放電灯点灯装置。
【請求項２０】
請求項１乃至１９のいずれかにおいて、前記判別手段により判別された放電灯の定格ランプ電力の種別ごとにランプ電流の最大値と最小値が設定されており、前記制御手段は、放電灯始動時から所定期間の経過後は、ランプ電流を前記最大値と最小値の範囲内となるように制御することを特徴とする放電灯点灯装置。
【請求項２１】
限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、放電灯始動時から所定期間は、第１の検出手段の出力が定格ランプ電圧に略等しい略一定の電圧となるように、所定期間の経過後は、第２の検出手段の出力が判別手段により判別された放電灯の定格ランプ電力と略等しくなるように、前記制御手段が点灯回路部または限流要素の少なくとも一方を制御するものにおいて、放電灯の初始動時に判別した放電灯の定格電力種を記憶する手段を有し、放電灯が点灯中に立ち消えを起こした後、放電灯の再始動を検出すると、記憶しておいた放電灯の定格電力種の判別結果によりランプ電力を最適制御することを特徴とする放電灯点灯装置。
【請求項２２】
請求項１乃至２０のいずれかにおいて、放電灯の初始動時に判別した放電灯の定格電力種を記憶する手段を有し、放電灯が点灯中に立ち消えを起こした後、放電灯の再始動を検出すると、記憶しておいた放電灯の定格電力種の判別結果によりランプ電力を最適制御することを特徴とする放電灯点灯装置。
【請求項２３】
請求項１乃至２２のいずれかにおいて、放電灯点灯装置に装着する全ての放電灯は、口金端部から発光管中心部までの距離が同一であることを特徴とする放電灯点灯装置。
【請求項２４】
請求項１乃至２３のいずれかにおいて、放電灯点灯装置に装着する全ての放電灯は、口金形状が同一であることを特徴とする放電灯点灯装置。
【請求項２５】
請求項２４において、放電灯点灯装置に装着する全ての放電灯の口金部は、エジソンベース型のソケットに挿入できる形状であることを特徴とする放電灯点灯装置。
【請求項２６】
請求項２５において、放電灯点灯装置に装着する全ての放電灯の口金部は、Ｅ２６型のソケットに挿入できる形状であることを特徴とする放電灯点灯装置。
【請求項２７】
請求項１乃至２６のいずれかにおいて、放電灯点灯装置に装着する全ての放電灯は、始動条件が同じであることを特徴とする放電灯点灯装置。
【請求項２８】
請求項１乃至２７のいずれかにおいて、放電灯点灯前の無負荷時に、定格ランプ電圧以上の所定のランプ電圧を印加する手段を有することを特徴とする放電灯点灯装置。
【請求項２９】
請求項１乃至２８のいずれかにおいて、放電灯始動用の高電圧発生手段を有することを特徴とする放電灯点灯装置。
【請求項３０】
請求項１乃至２９のいずれかにおいて、放電灯始動時のランプ電流を制限する手段を有することを特徴とする放電灯点灯装置。
【請求項３１】
請求項１乃至３０のいずれかにおいて、前記点灯回路部は放電灯を直流電圧にて点灯することを特徴とする放電灯点灯装置。
【請求項３２】
請求項１乃至３０のいずれかにおいて、前記点灯回路部は放電灯を低周波矩形波電圧にて点灯することを特徴とする放電灯点灯装置。
【請求項３３】
請求項１乃至３０のいずれかにおいて、前記点灯回路部は放電灯を高周波電圧にて点灯することを特徴とする放電灯点灯装置。
【発明の詳細な説明】
【０００１】
【発明の属する技術分野】
本発明はランプ特性の異なる複数種の放電灯を点灯することができる放電灯点灯装置に関するものである。
【０００２】
【従来の技術】
放電灯を点灯させる点灯装置としては従来銅鉄安定器が主流であった。しかし、近年安定器の軽量化・小型化・高機能化を目的として多くの電子部品を用いた電子バラストが主流となりつつある。この電子バラストについて以下簡単に説明する。
【０００３】
図２に従来の電子バラストのブロック図を示す。交流電源１に整流回路を含む直流電源回路部２が接続され、その出力端に放電灯への供給電力を調整・制御できるインバータ回路部３が接続され、さらにその出力端に放電灯４が接続されている。
【０００４】
このような従来の点灯装置では、ランプ特性の異なる放電灯を点灯する場合、点灯しようとする放電灯に適合した点灯装置を用いる必要があった。つまり、特性の異なる各々の放電灯に対して、専用の点灯装置を設けなければならず、開発費用・期間等の面での投資が多大であった。これより点灯装置は、複数種の放電灯を点灯することができる性能が望まれることが分かる。
【０００５】
【発明が解決しようとする課題】
本発明は、上述のような点に鑑みてなされたものであり、その目的とするところは、定格電力の異なる複数種のランプ各々に適切な電力を供給して点灯することができる放電灯点灯装置を提供することにある。
【０００６】
【課題を解決するための手段】
本発明によれば、上記の課題を解決するために、限流要素を介して放電灯に接続される点灯回路部と、ランプ電圧を実質的に検出する第１の検出手段と、ランプ電力を実質的に検出する第２の検出手段と、第２の検出手段の出力を受けて装着している放電灯の定格ランプ電力を判別する判別手段と、点灯回路部または限流要素の少なくとも一方を制御する制御手段とから構成され、定格ランプ電圧が略等しく、定格ランプ電力が異なる複数種の放電灯群のうちの少なくとも１本の放電灯を装着されて、該放電灯を安定に点灯する放電灯点灯装置において、放電灯始動時から所定期間は、第１の検出手段の出力が定格ランプ電圧に略等しい略一定の電圧となるように、前記制御手段が点灯回路部または限流要素の少なくとも一方を制御し、該所定期間において前記判別手段により放電灯の定格ランプ電力を判別し、前記所定期間の経過後は、第２の検出手段の出力が判別手段により判別された放電灯の定格ランプ電力と略等しくなるように、前記制御手段が点灯回路部または限流要素の少なくとも一方を制御することを特徴とするものである。ここで、限流要素の制御としては放電灯と直列に接続されるインピーダンス素子のインピーダンスを可変とするような手段を用いることができる。また、点灯回路部の制御としては、チョッパ回路やインバータ回路のスイッチング素子の周波数またはオン時間幅を可変とする手段を用いることができる。
【０００７】
【発明の実施の形態】
（実施形態１）
図１に第１の実施形態を示す。図１の回路は、交流電源１と、整流平滑回路等を含む直流電源回路部２と、点灯回路部５、制御回路部６からなるインバータ回路部３と、放電灯４からなる。制御回路部６は、放電灯４の安定点灯時に放電灯４に印加される両端電圧Ｖｌａが一定の電圧Ｖｓｔとなるように、点灯回路部５の出力を制御する。
【０００８】
以下、この回路の動作を説明する。図３は時間経過によるランプ電圧Ｖｌａの変化を示したものである。放電灯４は始動から時間Ｔｒ経過後に、安定点灯状態となり、ランプ電圧Ｖｓｔにて安定点灯する。ここで、Ｖｓｔは制御回路部６により制御されて放電灯４に印加される電圧である。
【０００９】
次に、放電灯４の仕様説明をする。放電灯４としては、定格ランプ電圧が略等しく、定格ランプ電力の異なる多種のランプ中のいずれかひとつを挿入する。例えば、表１のように、定格ランプ電圧Ｖｓｔ＝９０Ｖで点灯する３つのランプＡ、Ｂ、Ｃは、各々の定格ランプ電力が３９Ｗ、７４Ｗ、１００Ｗと異なるものである。
【００１０】
【表１】
0004513152.tif 000002
図４は、図３のランプ始動から時間Ｔｒ経過後のランプ安定点灯時の出力を説明するグラフである。ランプ電圧がＶｓｔに安定すると、放電灯４へ供給される電力はランプ個々の等価抵抗値Ｒ（８１Ω、１１０Ω、２１０Ω）により、ランプＡを挿入した場合３９Ｗ、ランプＢを挿入した場合７４Ｗ、ランプＣを挿入した場合１００Ｗのランプ電力がそれぞれ印加される。
【００１１】
以上のように、本点灯装置はランプ安定点灯時に所定の出力電圧にて放電灯を点灯させることにより、自動的にその放電灯に適した電力にて点灯させるようにしたので、一つの放電灯点灯装置で、多種の放電灯を点灯することができる。
【００１２】
（実施形態２）
図５に第２の実施形態を示す。図５は、交流電源１と、チョッパー回路からなる直流電源回路部２と、点灯回路部５、制御回路部６からなるインバータ回路部３と、放電灯４と、ランプ電流を検出する回路ＤＥＴと、ランプ始動から安定点灯後のある時間Ｔｓｔを測るタイマー回路ＴＭＲと、どの定格電力の放電灯が装着されているかを判別する判別回路ＤＳＴからなる。制御回路部６は、放電灯４の安定点灯時に、放電灯４に印加される両端電圧Ｖｌａが一定の電圧Ｖｓｔとなるように、点灯回路部５の出力を制御する。
【００１３】
以下、回路動作について、実施形態１と異なる部分を説明する。ランプ電流検出回路ＤＥＴは、ランプ短絡電流を検知して、放電灯の始動を検出すると、タイマー回路ＴＭＲヘランプ始動を知らせる信号を送る。タイマー回路ＴＭＲはこの信号を受けて、放電灯が確実に点灯状態に達する時間Ｔｓｔ（図３参照）をカウントする。この時間Ｔｓｔが経過した後、タイマー回路ＴＭＲがランプ判別回路ＤＳＴに安定点灯状態であることを知らせる信号を送る。これを受けて判別回路ＤＳＴは、ランプ電流検出回路ＤＥＴで検出している電流を確認して、どの定格電力の放電灯が挿入されているかを判別し、判別された放電灯に相当する電流が流れるように制御をかける。このとき、図６に示すように、ランプ種別ごとに設定された最小値Ｍｉｎと最大値Ｍａｘの間の電流となるように制御を行うものである。また、先の説明では、ランプ電流検出により、ランプ種別を判別したが、ランプ電力検出に置き換えることも可能である。
【００１４】
以上のように、本点灯装置はランプ安定点灯時に所定の出力電圧にて放電灯を点灯させ、自動的にその放電灯に適した出力にて点灯させるようにしたので、一つの放電灯点灯装置で、多種の放電灯を点灯することができる。
【００１５】
（実施形態３）
図７に第３の実施形態を示す。図７は、交流電源１と、整流平滑回路等を含む直流電源回路部２と、点灯回路部５、制御回路部６からなるインバータ回路部３と、放電灯４と、ランプ電流を検出する回路ＤＥＴと、ランプ始動から安定点灯後のある時間Ｔｓｔを測るタイマー回路ＴＭＲと、入力電力を検出する回路Ｍと、どの定格電力の放電灯が装着されているかを判別する判別回路ＤＳＴからなる。制御回路部６は、放電灯４の安定点灯時に放電灯４に印加される両端電圧Ｖｌａが一定の電圧Ｖｓｔとなるように、点灯回路部５の出力を制御する。
【００１６】
以下、回路動作について、実施形態１と異なる部分を説明する。ランプ電流検出回路ＤＥＴは、ランプ短絡電流を検知して、ランプの始動を検出すると、タイマー回路ＴＭＲヘランプ始動を知らせる信号を送る。タイマー回路ＴＭＲはこの信号を受けて、放電灯が確実に点灯状態に達する時間Ｔｓｔ（図３参照）をカウントする。この時間Ｔｓｔが経過した後、タイマー回路ＴＭＲがランプ判別回路ＤＳＴに安定点灯状態であることを知らせる信号を送る。これを受けてランプ判別回路ＤＳＴは、入力電力検出回路Ｍにより検出された入力電圧と入力電流を演算した入力電力から、どの定格電力種の放電灯が挿入されているかを判別する。
【００１７】
制御回路部６は、その判別結果を受けて、ランプ電圧Ｖｌａを一定とする定Ｖｌａ制御を解除し、判別されたランプ電力種に応じた定電力制御ヘと切り換える。つまり、ランプＡ（表１）が挿入されている場合には略３９Ｗの出力のＲの範囲（図８）、ランプＢ（表１）が挿入されている場合には略７４Ｗの出力のＱの範囲（図８）、ランプＣ（表１）が挿入されている場合には略１００Ｗの出力のＰの範囲（図８）が出力されるように制御する。
【００１８】
なお、先の説明では、入力電力検出によりランプ種別を判別したが、入力電流、ランプ等価抵抗値、さらには放電灯が安定点灯状態に達するまでの立上り時間の差等を検出することによっても同様にランプ種別を判別することができる。
【００１９】
以上のように、本点灯装置はランプ安定点灯時に所定の出力電圧にて放電灯を点灯させ、自動的にその放電灯に適した出力にて点灯させるようにしたので、一つの放電灯点灯装置で、多種の放電灯を点灯することができる。
【００２０】
（実施形態４）
図９に第４の実施形態を示す。本実施形態は実施形態２、３と同様に挿入されている放電灯の電力種を判別するが、判別するタイミングとして、ランプ安定前の始動段階を使用する点を特徴とするものである。表１のランプＡ、Ｂ、Ｃは、それぞれランプ安定時の一定電圧Ｖｓｔに達するまでの時間に差が生ずる。図９のように、ランプ安定前の始動段階において、同じ間隔の時間ｔ１からｔ２までのランプ電圧上昇値を測定すると、ｄＶＡ／ｄｔ、ｄＶＢ／ｄｔ、ｄＶＣ／ｄｔとランプ種別ごとに異なってくる。この差より、どの定格電力種のランプが挿入されているのか判別することができる。
【００２１】
また、上記立上り時間の差はランプ電圧に限らず、ランプ電力、ランプ電流、入力電力、入力電流についても同様の判別をすることができる。
【００２２】
以上のように、本点灯装置はランプ電力種の判別結果をもとにランプ安定点灯後に、自動的にその放電灯に適した出力にて放電灯を点灯させるようにしたので、一つの放電灯点灯装置で、多種の放電灯を点灯することができる。
【００２３】
（実施形態５）
図１０に第５の実施形態を示す。本実施形態は、実施形態２〜４の入出力電気特性以外の方法で、挿入されている放電灯の電力種を判別する手段について示す。図１０に示す温度センサ２３は、ランプ温度を測定する手段である。表１記載のランプＡ、Ｂ、Ｃは、ランプ定格電力３９Ｗ、７４Ｗ、１００Ｗの差がランプ温度の差としても現れる。これを利用して、ランプ点灯時の温度を測定することによりランプ電力の種別を判別することが可能である。
【００２４】
（実施形態６）
図１１に第６の実施形態を示す。本実施形態は、実施形態２〜４の入出力電気特性以外の方法で、挿入されている放電灯の電力種を判別する手段について示す。図１１に示す光センサ２４は、ランプの発光量を測定する手段である。表１記載のランプＡ、Ｂ、Ｃは、ランプ定格電力３９Ｗ、７４Ｗ、１００Ｗの差が光量の差としても現れる。これを利用して、ランプ始動時又は点灯時の発光量を測定することによりランプ電力の種別を判別することが可能である。この光センサは、赤外線・紫外線センサ等に置き換えて使用することもできる。
【００２５】
（実施形態７）
図１２に第７の実施形態を示す。本実施形態は、実施形態２〜６の放電灯点灯装置にメモリー機能ＭＥＭを付けたものである。このメモリー機能に、ランプ初始動時におけるランプ電力種の判別結果を記憶しておくことにより、放電灯が点灯中に立ち消え等を起こして再始動するときには、再始動の立上りを検出して、メモリー機能から初始動時の判別結果を判別回路ＤＳＴへフィードバックすることにより、自動的に挿入されている放電灯に適した出力にて点灯させることができるので、一つの放電灯点灯装置で、多種の放電灯を点灯することができ、判別に要する時間も短縮できる。
【００２６】
（実施形態８）
図１３に第８の実施形態を示す。本実施形態は、実施形態１〜７で述べた点灯装置に適合可能な定格ランプ電圧が略等しく、定格ランプ電力の異なる放電灯について、それらランプの口金が同一形状で、且つ、ランプの光中心距離Ｌが同一なものを用いるものである。表１では、その一例として、口金にいわゆるＥベースタイプの口金を用いたランプの例をあげている。さらには、Ｅベースの中でも口金サイズをＥ２６等、１つのサイズに統一する。本実施形態により、灯具を替えずに、点灯させたいランプを自由に変更し、所望の光出力を得ることができる。
【００２７】
（実施形態９）
図１４に第９の実施形態を示す。本実施形態では、交流電源と、整流平滑回路等を含む直流電源回路部に代えて、電池１を電源として用いている。また、放電灯４の点灯前の無負荷時において、ランプ両端に高電圧を印加するイグナイタ回路ＩＧＮを設けている。このイグナイタ回路ＩＧＮは無負荷時にパルス的な高電圧を発生して、放電灯４を絶縁破壊させる装置である。ランプ絶縁破壊後のランプ短絡状態による急峻な大電流は、電流抑制回路７にて抑制する。制御回路部６は、無負荷時には出力電圧をＶｓｔ以上の電圧Ｖｎｌ（図３参照）にして放電灯４に供給するエネルギーを増やして始動性を高め、放電灯４の安定点灯時には放電灯４に印加される両端電圧Ｖｌａが一定の電圧Ｖｓｔとなるように、点灯回路部５の出力を制御する。また、放電灯４には、定格ランプ電圧が略等しく、定格ランプ電力の異なる放電灯において、始動条件が同一なものを用いる。本実施形態より、灯具を替えずに、点灯させたい放電灯を自由に変更し、所望の光出力を得ることができる。
【００２８】
（実施形態１０）
図１５に第１０の実施形態を示す。本実施形態は、点灯回路部５として直流点灯方式の回路を用いたものである。この点灯回路部５は、スイッチング素子８とダイオード９とチョークコイル１０から成る降圧チョッパ回路と、コンデンサ１１とチョークコイル１２から成るフィルタ回路とから構成されている。降圧チョッパ回路内のスイッチング素子８は数１０ｋＨｚの高周波でＯＮ／ＯＦＦし、制御回路部６からの信号により、発振周波数やＯＮデューティを変化させることにより、放電灯４への出力電力を調整している。また、フィルタ回路は降圧チョッパ回路からの高周波を含んだ出力の高周波リップル成分を平滑する機能を有している。本実施形態により、直流点灯可能な放電灯についても、前記実施形態と同様に共用の点灯装置を実現できる。
【００２９】
（実施形態１１）
図１６に第１１の実施形態を示す。本実施形態は、点灯回路部５として低周波矩形波点灯方式の回路を用いたものである。この点灯回路部５は、実施形態１０に示した降圧チョッパ回路と、フィルタ回路と、スイッチング素子１３〜１６から成る極性反転回路とから構成されている。極性反転回路は前段の降圧チョッパ回路、フィルタ回路からの直流出力電力を、スイッチング素子１３と１６、スイッチング素子１４と１５が各々対となって、数１０Ｈｚから数１００Ｈｚの低周波で交互にＯＮ／ＯＦＦすることにより、放電灯４に低周波の矩形波電力を供給するようになっている。本実施形態により、直流点灯不可能な放電灯についても、前記実施形態と同様に共用の点灯装置を実現できる。
【００３０】
（実施形態１２）
図１７に第１２の実施形態を示す。本実施形態は、点灯回路部５として高周波点灯方式の回路を用いたものである。この点灯回路部５は、スイッチング素子１７、１８と、チョークコイル１９とコンデンサ２０とから構成されており、スイッチング素子１７、１８は交互に数１０ｋＨｚから数１００ｋＨｚの高周波でＯＮ／ＯＦＦを繰り返し、放電灯４に高周波電力を供給している。この周波数を制御回路部６からの信号により変化させることにより、放電灯４ヘの供給電力を調整している。本実施形態により、高周波点灯可能な放電灯についても、前記実施形態と同様に共用の点灯装置を実現できる。
【００３１】
【発明の効果】
本発明によれば、一つの放電灯点灯装置で、定格ランプ電圧が略等しく、定格ランプ電力の異なる多種の放電灯中のいずれかを点灯することができる。さらに、放電灯の口金、光中心距離、始動条件等を同じにすることにより、ソケット、イグナイタを含む灯具を同一にできることから、放電灯を交換するだけで、所望の出力の放電灯を点灯させる点灯装置を実現できる。
【図面の簡単な説明】
【図１】本発明の第１の実施形態のブロック回路図である。
【図２】従来例のブロック回路図である。
【図３】本発明の第１の実施形態のランプ電圧の経時変化を示す説明図である。
【図４】本発明の第１の実施形態の安定点灯時の出力を示す説明図である。
【図５】本発明の第２の実施形態のブロック回路図である。
【図６】本発明の第２の実施形態によるランプ種別ごとのランプ電流の制御範囲を示す説明図である。
【図７】本発明の第３の実施形態のブロック回路図である。
【図８】本発明の第３の実施形態によるランプ種別ごとの定電力制御を示す説明図である。
【図９】本発明の第４の実施形態によるランプ種別判別の原理を示す説明図である。
【図１０】本発明の第５の実施形態における温度センサの設置箇所を示す説明図である。
【図１１】本発明の第６の実施形態における光センサの設置箇所を示す説明図である。
【図１２】本発明の第７の実施形態のブロック回路図である。
【図１３】本発明の第８の実施形態に用いるランプの外観を示す正面図である。
【図１４】本発明の第９の実施形態のブロック回路図である。
【図１５】本発明の第１０の実施形態のブロック回路図である。
【図１６】本発明の第１１の実施形態のブロック回路図である。
【図１７】本発明の第１２の実施形態のブロック回路図である。
【符号の説明】
１    交流電源
２    直流電源回路部
３    インバータ回路部
４    放電灯
５    点灯回路部
６    制御回路部
【図１】
0004513152.tif 000003
【図２】
0004513152.tif 000004
【図３】
0004513152.tif 000005
【図４】
0004513152.tif 000006
【図５】
0004513152.tif 000007
【図６】
0004513152.tif 000008
【図７】
0004513152.tif 000009
【図８】
0004513152.tif 000010
【図９】
0004513152.tif 000011
【図１０】
0004513152.tif 000012
【図１１】
0004513152.tif 000013
【図１２】
0004513152.tif 000014
【図１３】
0004513152.tif 000015
【図１４】
0004513152.tif 000016
【図１５】
0004513152.tif 000017
【図１６】
0004513152.tif 000018
【図１７】
0004513152.tif 000019